(57)【要約】【課題】電子ブックプレーヤなどの表示装置を、より見やすくより携帯に適した状態にする。【解決手段】携帯表示装置１００の内部に配置された巻き取りリール１０２に巻かれている電子ペーパ２００に、出力ヘッド１０５を用いて情報を印刷し、情報を印刷した電子ペーパ２００をペーパ入出スリット１０１より外部に送り出し、目視可能な状態とする。【選択図】        図１
2004279774.tif 000002
【特許請求の範囲】
【請求項１】
表示面の反対側の面にのみ平面状の電極層を備えたマイクロカプセル型電気泳動方式の電子ペーパと、
この電子ペーパが巻かれた巻き取りリールと、
この巻き取りリールに巻かれた前記電子ペーパを外部に送り出すためのペーパ入出スリットと、
このペーパ入出力スリットの内側に配置された前記電子ペーパに情報を印刷し、また、前記電子ペーパに印刷されている情報を消去するヘッドと、
記録部に記録されている情報をもとに前記ヘッドを制御して前記電子ペーパに前記情報を印刷させる印刷制御部と
を少なくとも備えたことを特徴とする携帯型表示装置。
【請求項２】
請求項１記載の携帯型表示装置において、
記録媒体に記録された情報を読み出す情報読み出し部を備え、
前記印刷制御部は、前記情報読み出し部が読み出した情報をもとに前記ヘッドを制御して前記電子ペーパに前記情報を印刷させる
ことを特徴とする携帯型表示装置。
【請求項３】
請求項１記載の携帯型表示装置において、
無線で送信された情報を受信する無線受信部を備え、
前記印刷制御部は、前記無線受信部が受信した情報をもとに前記ヘッドを制御して前記電子ペーパに前記情報を印刷させる
ことを特徴とする携帯型表示装置。
【発明の詳細な説明】
【０００１】
【発明の属する技術分野】
本発明は、電子ブックプレーヤなど、電子化された情報を可視化する携帯型表示装置に関する。
【０００２】
【従来の技術】
近年では、パーソナルコンピュータや携帯型の電子機器の普及により、電子化された情報を扱う機会が増加している。電子化することにより、膨大な量の情報を手軽に携帯することが可能となり、また、情報の検索などがより迅速かつ容易に行えるようになる。このように、情報を電子化することは、多くの利便性を有する。電子化された情報は、例えば電子ブックプレーヤなどに表示して可視化することで、参照することが可能となる（特許文献１参照）。
【０００３】
電子ブックは、例えば、小説や辞典などが電子化されて記録メディアに記録されて用いられるものであり、電子ブックプレーヤにより記録されている情報を表示する。電子ブックプレーヤは、図５に示すように、例えば、本体５０１と表示部５０２とを備え、携帯性を考慮して、これらが折りたためるようになっている。本体５０１には、記録メディアが装填されるインタフェースや、電子化されている情報を表示部５０２に表示する制御部などが内蔵されている。また、表示部５０２には、一般に液晶表示装置などの平面ディスプレイが用いられている。
【０００４】
【特許文献１】
特開平５−２３４３３９号公報
【０００５】
【発明が解決しようとする課題】
しかしながら、液晶表示装置などの平面ディスプレイは、小説や新聞のような大量の小さい文字を読解するには適していない。このため、紙に記載された文書を読む場合に比較して、平面ディスプレイを利用して長文を読むと、目の疲れなどが起きやすい。紙に印刷された文書の方が読むのに適しているのは、白地に対して文字か鮮明に見える状態となっているためである。また、紙には可撓性があり、持ち方の自由度が大きいという利点もある。
【０００６】
本発明は、以上のような問題点を解消するためになされたものであり、電子ブックプレーヤなどの表示装置を、より見やすくより携帯に適した状態にすることを目的とする。
【０００７】
【課題を解決するための手段】
本発明に係る携帯型表示装置は、表示面の反対側の面にのみ平面状の電極層を備えたマイクロカプセル型電気泳動方式の電子ペーパと、この電子ペーパが巻かれた巻き取りリールと、この巻き取りリールに巻かれた電子ペーパを外部に送り出すためのペーパ入出スリットと、このペーパ入出力スリットの内側に配置された電子ペーパに情報を印刷し、また、電子ペーパに印刷されている情報を消去するヘッドと、記録部に記録されている情報をもとにヘッドを制御して電子ペーパに情報を印刷させる印刷制御部とを少なくとも備えたものである。
この携帯型表示装置によれば、記録部に記録されている情報は、電子ペーパに印刷され、ペーパ入出力スリットより送り出されることで、目視可能な状態となる。
【０００８】
また、上記携帯型表示装置において、記録媒体に記録された情報を読み出す情報読み出し部を備え、印刷制御部は、情報読み出し部が読み出した情報をもとにヘッドを制御して電子ペーパに情報を印刷させるようにしてもよい。また、無線で送信された情報を受信する無線受信部を備え、印刷制御部は、無線受信部が受信した情報をもとにヘッドを制御して電子ペーパに情報を印刷させるようにしてもよい。
【０００９】
【発明の実施の形態】
以下、本発明の実施の形態について図を参照して説明する。
図１は、本発明の実施の形態における携帯型表示装置１００の構成を簡単に示す構成図である。この携帯型表示装置１００は、電子ペーパ２００を出し入れするためのペーパ入出スリット１０１、電子ペーパ２００が巻き付けられている巻き取りリール１０２、リーダライタ１０３、メモリーカードの挿抜孔１０３ａセレクトスイッチ１０４ａ，１０４ｂを備えている。
【００１０】
また、携帯型表示装置１００は、ペーパ入出力スリット１０１の手前に、出力ヘッド１０５と接地電極１０６とを備え、印刷制御部１０７の制御により、電子ペーパ２００に情報を書き込むようにしている。また、携帯型表示装置１００は、外部装置と無線で情報の授受を行うための受信部１０８を備えている。受信部１０８は、例えば、「Ｂｌｕｅｔｏｏｔｈ」などの短距離無線伝送技術により、他の機器とネットワークが構成できるようにしたものである。
【００１１】
電子ペーパ２００は、マイクロカプセル型電気泳動方式の電子ペーパである。これは、図２に示すように、ポリエチレンテレフタレート（ＰＥＴ）などの樹脂からなるベースフィルム２０１と、この上に設けられた導電層（電極層）２０２と、透明な保護フィルム２０５との積層構造となっており、導電層２０２と保護フィルム２０５との挟まれた領域に複数のマイクロカプセル２０３を備えている。マイクロカプセル２０３は、直径４０〜５０μｍの透明なカプセルであり、この中には、透明な液体２３１が充填され、また、黒色のカーボン粉末２３２と白色の酸化チタン粉末２３３とが封入されている。
【００１２】
カーボン粉末２３２は、マイナスに帯電した黒色の微粒子であり、酸化チタン粉末２３３は、プラスに帯電した白色の微粒子である。図２（ｂ）に示すように、マイクロカプセル２０３を対向する電極に挾み、一方をプラス他方をマイナスとすると、カーボン粉末２３２は、プラス側に移動（泳動）し、酸化チタン粉末２３３はマイナス側に移動する。このようにすることで、カーボン粉末２３２と酸化チタン粉末２３３とが分離した状態で、酸化チタン粉末２３３の側から見れば白く見え、カーボン粉末２３２の側から見れば黒く見える状態となる。
【００１３】
電子ペーパ２００において、保護フィルム２０５とベースフィルム２０１との間で、局所的に上述した電圧印加状態とすることで、保護フィルム２０５の側から見た場合、黒く見えることになる。また、マイクロカプセル２０３の中における分離した状態は、電圧印加状態を解放した後も、数ヶ月間は保持される（Ｒ．Ｃ．Ｌｉａｎｇ，ｅｔ  ａｌ．”Ｍｉｃｒｏｃｕｐ  Ｅｌｅｃｔｒｏｐｈｏｒｅｔｉｃ  Ｄｉｓｐｌａｙｓ  ｂｙ  Ｒｏｌｌ−ｔｏ  Ｒｏｌｌ  Ｍａｎｕｆａｃｔｕｒｉｎｇ  Ｐｒｏｃｅｓｓｅｓ”  ＩＤＷ  ’０２  Ｄｉｇｅｓｔ，ｐ１３３７（２００２）、Ｊ．Ａｕ，  ｅｔ  ａｌ．”Ｕｌｔｒａ−Ｔｈｉｎ  ３．１−ｉｎ．  Ａｃｔｉｖｅ−Ｍａｔｒｉｘ  Ｅｌｅｃｔｒｏｎｉｃ  Ｉｎｋ  Ｄｉｓｐｌａｙ  ｆｏｒ  Ｍｏｂｉｌｅ  Ｄｅｖｉｃｅｓ”  ＩＤＷ  ’０２  Ｄｉｇｅｓｔ，ｐ２２３（２００２）、Ｙ．Ｍａｔｓｕｄａ，ｅｔ  ａｌ．  ”Ｎｅｗｌｙ  ｄｅｓｉｇｎｅｄ，ｈｉｇｈ  ｒｅｓｏｌｕｔｉｏｎ，ａｃｔｉｖｅ−ｍａｔｒｉｘ  ａｄｄｒｅｓｓｉｎｇ  ｉｎ  ｐｌａｎｅ  ＥＰＤ”  ＩＤＷ  ’０２  Ｄｉｇｅｓｔ，ｐ１３４１  （２００２）、Ｓｈｉｕｉｃｈｉ  Ｍａｅｄａ，  ｅｔ  ａｌ．  ”Ｃｈａｒａｃｔｅｒｉｚａｔｉｏｎ  ｏｆ  ”Ｐｅａｓ  ｉｎ  ａ  Ｐｏｄ”，ａ  Ｎｏｖｅｌ  Ｉｄｅａ  ｆｏｒ  Ｅｌｅｃｔｒｏｎｉｃ  Ｐａｐｅｒ”  ＩＤＷ  ’０２  Ｄｉｇｅｓｔ，ｐ１３５３（２００２））。
【００１４】
図１（ｂ）に示すように、巻き取りリール１０２に巻かれている電子ペーパ２００は、出力ヘッド１０５と接地電極１０６との間を通り、ペーパ入出スリット１０１より携帯型表示装置１００の外部に出る。例えば、利用者が、書き込みボタン１０４ａを押すことで、図示しない送り出し機構が、電子ペーパ２００を外部に送り出すとともに、出力ヘッド１０５により電子ペーパ２００に所定の情報が印刷される。出力ヘッド１０５により電子ペーパ２００に印刷された情報は、ペーパ入出力スリット１０１より外部に出ることで、利用者に目視可能な状態となる。
【００１５】
また、利用者が、消去ボタン１０４ｂを押すと、巻き取りリール１０２が電子ペーパを巻き取るとともに、出力ヘッド１０５が、電子ペーパ２００に印刷されている情報を消去する。
印刷される情報は、例えば、挿抜孔１０３ａに挿入されたメモリーカードからリーダライや１０３により読み出された情報や、受信部１０８で受信された情報である。例えば、セレクトスイッチ１０４ａが押されると、印刷制御部１０７は、例えば、リーダライや１０３より情報を読み出し、また、受信部１０８で受信された情報を取り出し、これら情報をもとに出力ヘッド１０５を駆動制御し、電子ペーパ２００に上記情報を印刷させる。
【００１６】
出力ヘッド１０５は、図４に示すように、絶縁物からなる筐体１５１の記録面１５１ａに、配列された複数の記録ヘッド１５５を備え、また、記録面の端部には、消去ヘッド１５２を備えている。記録ヘッド１５５は、筐体１５１を貫通する貫通電極を介して接続端子１５３に接続している。記録ヘッド１５５は、２列に配列され、記録ヘッド１５５の配列方向に各々の列の並びを１／２ピッチずらされ、記録密度が２倍に向上されている。
【００１７】
電子ペーパ２００に情報の印刷を行うとき、印刷制御部１０７は、電子ペーパ２００の導電層２０２を接地電位とした状態で、出力ヘッド１０５のいずれかの記録ヘッド１５５に所定の記録電圧（＋）を印加することで、これに接する電子ペーパ２００のマイクロカプセル２０３内の粒子を移動させ、黒の表示を行わせる。また、記録ヘッド１５５に、マイナスの電圧を印加することで、ここを通過する電子ペーパ２００に印刷されている情報が消去される。
【００１８】
以上説明したように、携帯型表示装置１００は、メモリーカードなどの記録媒体に記録されている情報などを、電子ペーパ２００に印刷して表示するものであり、例えば、電子ブックプレーヤとして機能する。本実施の形態における携帯型表示装置１００によれば、電子ペーパ２００に表示を行うようにし、電子ペーパ２００を携帯型表示装置１００の内部に、巻き取って格納するようにした。このため、表示を行わないときは、より小型な状態とすることができる。
【００１９】
【発明の効果】
以上説明したように、本発明では、携帯表示装置の内部に巻き取り格納可能な状態とした電子ペーパに情報を印刷することで、情報を表示させるようにした。この結果、本発明の携帯表示装置によれば、液晶表示装置などを用いた従来よりより見やすくなり、また、より携帯に適しているという優れた効果が得られる。
【図面の簡単な説明】
【図１】本発明の実施の形態における携帯型表示装置の構成例を示す斜視図（ａ）と構成図（ｂ）である。
【図２】電子ペーパ２００の構成を概略的に示す模式的な断面図である。
【図３】出力ヘッド１０５の構成を示す斜視図である。
【図４】出力ヘッド１０５の構成を示す平面図（ａ），（ｃ）と断面図（ｂ）である。
【図５】従来よりある電子ブックプレーヤの構成を示す斜視図である。
【符号の説明】
１００…携帯型表示装置、１０１…ペーパ入出スリット、１０２…巻き取りリール、１０３…リーダライタ、１０４ａ，１０４ｂ…セレクトスイッチ、１０５…出力ヘッド、１０６…接地電極、１０７…印刷制御部、１０８…受信部、２００…電子ペーパ。
【図１】
2004279774.tif 000003
【図２】
2004279774.tif 000004
【図３】
2004279774.tif 000005
【図４】
2004279774.tif 000006
【図５】
2004279774.tif 000007